(57)【要約】      （修正有）【課題】居室等の照明設備等の電源スイッチをオフにすることを失念した場合にムダな電力を消費させないため、当該機器が暖房機器の場合に火災等の危険な状態を回避するため、入場後ドアの故障又は身体上の事由等（病気・発作等）により自力で脱出できなくなった状態に陥った場合に周囲の者が事態に対処するため、失念した者に対する教育上の躾として意識の改善をするためなど、以上について従来技術を改善して提供する。【解決手段】居室等の照明設備等の電源スイッチをオンにした時から一定時間の経過を条件として警告音を発生させることを、失念の課題、火災等回避の課題、脱出不能の課題、躾等教育上の課題など、以上を解決する手段として警告音付き電源スイッチが提供する。【選択図】図２
0003101558.tif 000002
【実用新案登録請求の範囲】
【請求項１】
液晶表示部、スピーカー、及び電源スイッチと一体化した基板としてＣＰＵ、メモリー、磁気記録等のためのドライブ、デジタルカレンダー、デジタル時計、デジタルタイマー，警告音発生装置、電波発信装置、電波受信装置を内蔵し、データの入力はコントローラーを使用して行う警告音付き電源スイッチ。
【請求項２】
液晶表示部には電源オンの時刻、警告音発生時の日時、発生の場所を表示し、
スピーカーは警告音を発する機能であり
ＣＰＵは経過時間の演算、制御、警告音発生の制御及び電流等の入出力制御であり、
メモリー、磁気記録等のためのドライブはＣＰＵの補助記憶装置として用いられ、
デジタルカレンダー、デジタル時計は現在日時、曜日を認識し
デジタルタイマーは経過時間を認識し、
警告音発生装置は音の情報をスピーカーへ送り出し、
電波発信装置は警告音発生時の情報を当該電源スイッチ以外の機器に発信し、
電波受信装置は当該電源スイッチ以外からの警告音発生時の情報を着信する
請求項１記載の警告音付き電源スイッチ。
【請求項３】
コントローラーは基板への作動条件入力（変更）の設定の時間的データである現在の年月日、現在の曜日，現在の時刻並びに作動すべき期間的（時間的）条件である条件合致の年月日、条件合致の曜日、条件合致の時刻及び作動すべき経過期間（時間）としての経過年数、経過月数、経過日数、経過時間数，経過分数，経過秒数及び作動すべき期間帯（時間帯）条件である年月日の始期・終期、曜日の始期・終期、時間帯の始期・終期を設定するために入力機能を有する請求項１記載の警告音付き電源スイッチ。
【請求項４】
警告音付き電源スイッチの基板への条件入力（変更）の設定データ及び条件一致時の実行データはコントローラーを使用して設定し、パスワードの設定、複数の照明設備等の主電源に通ずる配線を対象として脱着可能な磁気記録等媒体に記録される請求項１記載の警告音付き電源スイッチ。
【請求項５】
警告音発生装置は基板の条件設定と実際の作動すべき時間的条件が一致した場合に警告音を発生させるが、その音の音質、音量、周波数、及びその音の連続性又は間欠性の設定のうち一つまたは二つ以上の組み合わせにより設定される請求項１記載の警告音付き電源スイッチ。
【考案の詳細な説明】
【技術分野】
【０００１】
本考案は建物又は建物内部の仕切られた空間における人命危機の予知の可能性を周知すること並びに不法侵入者に対し驚愕の念を植付けることによる退散効果又は節電の喚起を促すことを周知することを図った警告音付き電源スイッチに関するものである。
【背景技術】
【０００２】
従来の電源スイッチは建物全体又は建物内部の仕切られた浴室、トイレ、納戸，車庫、その他居室等（以下居室等という。）に据え付けられた照明設備,冷暖房機器、換気扇、及びコンセントに接続された電気機器等（以下照明設備等という。）の主電源に通ずる配線及びブレーカーについてのオン・オフの機能であり、当該電源スイッチのオン・オフの状態を認識できる豆電球が付属されている。
【０００３】
また、居室等からの退室時に当該居室等に係る照明設備等の主電源に通ずる配線への電力供給の電源スイッチをオフにすることは個人の注意力又はマナーに依存しており、時間の経過に伴い自動的に警告音を鳴らし、周囲に知らせ、注意を喚起する機能は付加されていない。
【考案の開示】
【考案が解決しようとする課題】
【０００４】
居室等からの退室時に当該居室等に係る照明設備等の電源スイッチをオフにすることを失念した場合、ムダな電力を消費し続けると同時に当該照明設備等が暖房機器の場合には火災等の危険性が高くなるが、この状態の連続性を断絶し、危険な状態を回避するため、
【０００５】
また、従来の電源スイッチでは居室等の照明設備等を利用者がオンにして当該居室等に入場後、ドアの故障又は身体上の事由等（病気・発作等）により自力で脱出できなくなった状態に陥った場合に、密室となっている為に利用者が室外に救助を求めようとしても知らせることができない事態に対処するため、
【０００６】
また退場時に居室等の電源スイッチをオフにすることを失念した場合において、教育上の躾（社員教育,家庭内教育）として、周囲の者たちが失念した者に対し注意を喚起しても、本人の認識（反省）の程度は低い事が多く、注意をした者と注意をされた者との人間関係において不快な感情（しこり）が残るのみならず意識の改善がされない点を解決するため、
【０００７】
また家庭内における子供用居室若しくは老人用居室又は病院内の個室等において深夜又は早朝等の通常利用しない時間帯若しくは利用させたくない時間帯に照明設備等の利用制限をしたくても、わざわざ当該居室等に行って注意又は消灯等の対処をしなければならない点を改善するため、
【０００８】
また不法侵入者等が特に夜間において建物内を物色する為に電源スイッチをオンにした場合、有効に居室等内の照明設備等が作動してしまうという防犯対策上の瑕疵に処置を講ずるため、
【０００９】
さらに従来の危機(安全)管理システムでは外部への管理委託料及び配線工事費等に高額の費用を要するなど、以上の従来技術を改善した警告音付き電源スイッチ。
【課題を解決するための手段】
【００１０】
居室等からの退室時に当該居室等に係る照明設備等の電源スイッチをオフにすることを失念した場合、ムダな電力を消費し続けると同時に当該照明設備等が暖房機器の場合には火災等の危険性が高くなるが、この状態の連続性を一定時間の経過を条件として断絶し、ムダな電力の消費を回避すると同時に、危険な状態を回避するために警告音付き電源スイッチである。
【００１１】
居室等に入場の際、電源スイッチのオンに連動して同時に、他方でタイマーを始動させ、一定時間を過ぎても室内から利用者等が出てこないときに、時間の経過に関わらせて警告音が発生することにより室外の者に対し当該利用者の非常事態たる相対的危険性を警告するために警告音付き電源スイッチである。
【００１２】
また退場時に電源スイッチをオフにすることを失念した場合において、教育上の躾（社員教育,家庭内教育）として、周囲の人たちが失念した者に対し注意を喚起しても、人間対人間の不快な感情（しこり）が残るだけでなく、本人の認識（反省）の程度は低い事が多いが、警告音の発生は時間的条件に係る機械的実行であり、人間感情としての恣意性が排除される為、電源スイッチをオフにすることを失念した者への意識教育（気付き）としての反射的効果が作用するための警告音付き電源スイッチである
【００１３】
家庭内における子供用居室若しくは老人用居室又は病院内の個室等において深夜又は早朝等の通常利用しない時間帯若しくは利用させたくない時間帯に照明設備等の電源スイッチをオンにした時間帯が当該時間帯に一致した場合、本考案の設定による作動（警告音の発生及び照明設備等の主電源に接続されている配線への電力供給の停止）により当該居室等に行って注意又は消灯等の対処が不要となるための警告音付き電源スイッチである。
【００１４】
不法侵入者が照明設備等の電源スイッチをオンにした場合、本考案の設定による作動（警告音の発生及び照明設備等の主電源に接続されている配線への電力供給の停止）は当該不法侵入者等に対し驚愕の念を植付ける退散効果があり、防犯上の初期対策をするために警告音付き電源スイッチである。
【００１５】
本考案は電源スイッチの作動（警告音の発生及び照明設備等の主電源に接続されている配線への電力供給の停止）が当該電源スイッチの設置された場所毎に複数の照明設備等を制御しており、外部への管理委託料及び大掛かりな配線工事を必要としない警告音付き電源スイッチである。
【考案の効果】
【００１６】
退場時または終了時に電源スイッチをオフにすることを失念した場合において、警告音の発生によりムダな電力の消費を回避する。
【００１７】
浴室等に入場の際、一定時間を過ぎても室内から利用者等が出てこないときに、時間の経過に関わらせて、警告音が発生することにより室外の者に当該利用者の非常事態たる相対的危険性を警告する。
【００１８】
また退場時に電源スイッチをオフにすることを失念した場合において、教育上の躾（社員教育,家庭内教育）として警告音の発生は人間感情としての恣意性が排除される為、電源スイッチをオフにすることを失念した者への意識教育（気付き）としての反射的効果がある。
【００１９】
家庭内における子供用居室若しくは老人用居室又は病院内の娯楽室等において深夜又は早朝等の通常利用しない時間帯若しくは利用させたくない時間帯に当該居室等に行って注意又は消灯等の対処が不要となる。
【００２０】
不法侵入者等に対し驚愕の念を植付ける退散効果があり、防犯上の初期対策ができる。
【００２１】
電源スイッチの設置された場所毎に複数の照明設備等を制御しており、外部への危機管理委託料及び大掛かりな配線工事を必要としない。
【考案を実施するための最良の形態】
【００２２】
電源スイッチは壁に埋め込む方式で使用するのが一般的であるが、警告音装置を当該電源スイッチ回路上に接続されたコンセントを使用して独立させることにより各種電気機器にタイマー機能を有していなくともすべての電気機器を対象とした幅広い応用を可能にし、また、ブレーカーに付加させて使用すれば建物全体の管理、さらに当該ブレーカーの区分に従うグループ単位での管理が容易である。
【実施例】
【００２３】
図１は電流配給の根幹をなすブレーカーに本考案に係る警告音付き電源スイッチを付加させた場合の配線に関する説明であり、５の警告音付き電源スイッチの基板から２１の浴室、２２のトイレ及び２３のその他の居室の各警告音付き電源スイッチへの配線を示している。
【００２４】
図２は図１における２１から２３までの居室等の警告音付き電源スイッチの基板への電流配給を受けて、１つの居室について５の警告音付き電源スイッチの基板（図１の２１から２３までの特定の１つに相当する。）から３１の当該居室等の照明設備、３２の当該居室等の視聴覚設備、３３の当該居室等の冷暖房設備、３４の当該居室等の換気設備及び３５の当該居室等のコンセントへの配線を示している。
【００２５】
図３は図１及び図２における警告音付き電源スイッチの実行を説明するためのフローチャートである。
【００２６】
図３で（１００）の電源スイッチの基板への条件入力（変更）の設定は任意で待機（停止）状態の設定をすることができ、この場合、（１２０）の条件一致の場合も警告音を発生させない。
【００２７】
図３で（１００）の電源スイッチの設定基板への条件入力（変更）の設定は請求項３の一つ又は二つ以上の条件の選択（組み合わせ）及び請求項５の一つ又は二つ以上の条件の選択（組み合わせ）により行う。
【００２８】
図３で（１１０）の電源スイッチオンの時からの経過時間を計測し、電源スイッチの基板への条件入力(変更)の設定を参照し、（１２０）の条件一致の場合に作動（警告音が発生すること及び照明設備等の主電源に通ずる配線への電力供給の停止）し、電波発信装置から他の警告音付き電源スイッチの電波受信装置へ発信する。
【００２９】
図３で（１１０）電源スイッチオン時の期間帯（時間帯）を認識し、電源スイッチの基板への条件入力(変更)の設定を参照して（１２０）の条件一致の場合に作動（警告音が発生すること及び照明設備等の主電源に通ずる配線への電力供給の停止）し、電波発信装置から他の警告音付き電源スイッチの電波受信装置へ発信する。
【００３０】
図３で（１００）でブレーカー用警告音付き電源スイッチの基板への条件入力（変更）の設定は不在（留守）時の状態を想定した設定をすることができ、不法侵入者等が電源スイッチをオンにしたと同時に作動（警告音が発生すること及び照明設備等の主電源に通ずる配線への電力供給の停止）し、電波発信装置から他の警告音付き電源スイッチの電波受信装置へ発信する。
【００３１】
図３で（１１０）警告音付き電源スイッチオンでタイマーが始動し、（１００）で（１２０）入力設定された条件の経過時間に達すると（１４０）警告音を鳴らし、電波発信装置から他の警告音付き電源スイッチの電波受信装置へ発信し、さらに当該設定が主電源をオフにする設定がされていれば（１６０）条件対象の主電源に接続されている配線への電力供給を自動的にオフにするが、オフにする設定がされていなければ電力供給を継続する。
【００３２】
この作動は設定を解除するまで継続し、設定の解除後に（１８０）警告音を止め、（１９０）警告音付き電源スイッチをオフにして、（１００）再び警告音付き電源スイッチオンの待機状態となる。
【００３３】
なお、（１２０）で設定された条件に一致しない場合は、正常な電力供給を継続する。
【産業上の利用可能性】
【００３４】
本考案は一般家庭における各居室、病院における個室の電気供給制御等の他、長時間にわたる米穀乾燥機等の機械設備(時間的制御機能のないもの)の運転又はその後の停止等の電源スイッチ操作に安全性と気密性を確保しつつ計画的かつ規則的に適用することができ、留守時においては警告音付き電源スイッチのオンと同時に警告音を作動させる設定をもって、不法侵入者に対する初期対策となり、ブレーカーについて適用すれば、複数の居室等をグループとして適用することができるなど、使途の汎用性が期待できる。
【図面の簡単な説明】
【００３５】
【図１】ブレーカーについて警告音付き電源スイッチの配線説明である。
【図２】居室等について警告音付き電源スイッチの配線説明である。
【図３】図１及び図２の警告音付き電源スイッチの実行を説明するフローチャートである。
【符号の説明】
【００３６】
１  警告音付き電源スイッチ
２  電源スイッチの液晶表示部
３  電源スイッチの入切部
４  スピーカー（警告音発生部）
５  電源スイッチの基板
６  デジタル時計
７  デジタルタイマー
８  デジタルカレンダー
９  増設メモリー
１０  磁気記録のためのドライブ
１１  警告音発生装置
１２  電波発信装置
１３  電波受信装置
１４  中央演算処理装置（ＣＰＵ）
１５  コントローラー(基板への入出力機器)
２１  浴室の警告音付き電源スイッチ
２２  トイレの警告音付き電源スイッチ
２３  その他居室の警告音付き電源スイッチ
３１  当該居室等の照明設備
３２  当該居室等の視聴覚設備
３３  当該居室等の冷暖房設備
３４  当該居室等の換気設備
３５  当該居室等のコンセント
【図１】
0003101558.tif 000003
【図２】
0003101558.tif 000004
【図３】
0003101558.tif 000005